(57)【要約】【課題】  イジェクト機構専用のイジェクトベースを削除すること。【解決手段】  ディスクホルダ（３０Ａ）とイジェクトプレート（２０Ａ）との間にイジェクトバネ（６１）が架設されている。イジェクトプレートおよびイジェクトベースの両側の側板（２１，５１Ａ）に設けられたスライド機構（２１−４，５１−２）は、イジェクトプレートをイジェクトベースに対して摺動させる。イジェクトベース（５０Ａ）は、キャリッジアセンブリ（４）の移動範囲を除いて、イジェクトプレートを覆う上カバーとしても使用される。【選択図】      図２０
2006040439.tif 000002
【特許請求の範囲】
【請求項１】
メインフレームと、該メインフレームの主面上で、磁気ヘッドをフレキシブルディスクの半径方向に駆動するキャリッジアセンブリと、該メインフレームの主面上に平行にフレキシブルディスクの出し入れ方向にのみ摺動可能に取り付けられたイジェクトプレートと、該イジェクトプレートの両側の側板に設けられた案内溝に挿通されるピンを持ち、前記イジェクトプレートの摺動に応じて上下方向にのみ摺動するディスクホルダと、前記メインフレームの両側の側板の上端に取り付けられ、前記イジェクトプレートを摺動可能に保持するイジェクトベースとを有するフレキシブルディスクドライブにおいて、
前記ディスクホルダと前記イジェクトプレートとの間に架設されたイジェクトバネと、
前記イジェクトプレートおよび前記イジェクトベースの両側の側板に設けられて、前記イジェクトプレートを前記イジェクトベースに対して摺動させるスライド機構とを備え、
前記イジェクトベースが、前記キャリッジアセンブリの移動範囲を除いて、前記イジェクトプレートを覆う上カバーとしても使用されることを特徴とするフレキシブルディスクドライブ。
【請求項２】
前記イジェクトベースに組み付けられて、前記キャリッジアセンブリの移動範囲のみを覆う別カバーを更に有する、請求項１に記載のフレキシブルディスクドライブ。
【請求項３】
前記イジェクトベースは、前記別カバーを受ける受け部を持つ、請求項２に記載のフレキシブルディスクドライブ。
【請求項４】
前記別カバーは、前記イジェクトベースの裏面と係合する少なくとも１つの係合突起を持つ、請求項３に記載のフレキシブルディスクドライブ。
【請求項５】
前記スライド機構が、
前記イジェクトベースの両側の側板に形成されて、前記フレキシブルディスクの出し入れ方向に延在する案内孔と、
前記イジェクトプレートの両側の側板に設けられた、前記案内孔に挿通するピンとを有する、請求項１に記載のフレキシブルディスクドライブ。
【発明の詳細な説明】
【技術分野】
【０００１】
本発明は、フレキシブルディスクへの情報の記録、及び情報の読み取りに用いられる薄型のフレキシブルディスクドライブに関する。
【背景技術】
【０００２】
周知のように、フレキシブルディスクドライブ（以下、「ＦＤＤ」とも略称する）は、それに挿入されたフレキシブルディスク（以下、「ＦＤ」とも略称する）の円板状磁気記録媒体に対してデータの記録再生を行うための装置である。そして、このようなフレキシブルディスクドライブは、ラップトップ・パーソナルコンピュータやノート型パーソナルコンピュータ、或いはノート型ワードプロセッサ等の携帯型電子機器に搭載される。
【０００３】
この種のフレキシブルディスクドライブは、フレキシブルディスクの磁気記録媒体に対してデータの読出し／書込みを行うための磁気ヘッドと、この磁気ヘッドをフレキシブルディスクに対して所定の半径方向に沿って移動可能に先端で保持するキャリッジアセンブリと、このキャリッジアセンブリを上記所定の半径方向に沿って移動させるステッピングモータと、フレキシブルディスクを保持しつつ磁気記録媒体を回転駆動するダイレクトドライブ（ＤＤ）モータとを有している。尚、ＤＤモータとしては、一般にスピンドルモータ等が使用される。
【０００４】
近年、上記携帯型電子機器の薄型化に伴って、それに内蔵或いは搭載されるフレキシブルディスクドライブの薄型化も進められている。このフレキシブルディスクドライブの対する薄型化と共に、さらに、奥行き方向の寸法に対しても縮小化することが望まれている。
【０００５】
奥行き方向の寸法縮小化を実現したフレキシブルディスクドライブが提案されている（例えば、特許文献１参照）。この特許文献１に開示されているフレキシブルディスクドライブに於いては、ステッピングモータと送りネジとの組立て体を、フレキシブルディスクの挿入口とは反対側のメインフレームの奥部であって該メインフレームの左右の側縁の一方に隣接させて配置する。送りネジはメインフレームの左右の側縁の一方に平行に延在している。キャリッジアセンブリはメインフレームの主面に平行であって、送りネジに対して直角方向に延在している。
【０００６】
また、このような奥行き方向の寸法縮小化を実現したフレキシブルディスクドライブに於いて、ディスクホルダに設けられるピンとこのピンの上下動を案内するためにイジェクトプレートに設けられる案内溝との寸法に精密性を必要としない、フレキシブルディスクドライブも知られている（例えば、特許文献２参照）。この特許文献２に開示されているフレキシブルディスクドライブに於いては、ディスクホルダの両側の側板にそれぞれ、上動用のピンと下動用のピンとを設けている。イジェクトプレートの両側の側板にはそれぞれ、フレキシブルディスクの挿入時にのみ前記下動用のピンを下動させる傾斜辺縁を持つ下動用の案内溝とフレキシブルディスクの排出時に前記上動用のピンを上動させる傾斜辺縁を持つ上動用の案内溝とを設けている。しかも、ディスクホルダにおける両側の側板の少なくとも一方には２本の下動用のピンとこれらの間に１本の上動用ピンを設け、これに対応する側のイジェクトプレートの側板には前記２本の下動用のピンに対応する２つの下動用の案内溝と前記１本の上動用ピンに対応する１つの上動用の案内溝とを設けている。
【０００７】
以下、図面を参照して従来の薄型フレキシブルディスクドライブについて説明する。
【０００８】
図１、図２において、薄型フレキシブルディスクドライブはメインフレーム１を有する。メインフレーム１は幅寸法、奥行寸法共に、フレキシブルディスク４０の幅寸法、奥行寸法に比べてやや大きめ（但し、＋１０ｍｍ以内）にされる。フレキシブルディスク８０は、図２に矢印Ａで示す方向からフレキシブルディスクドライブ本体に挿入される。ステッピングモータ２は、メインフレーム１の両側の側壁のうち左側の側壁に隣接した位置に、後部壁１−１の一部を利用して固定されている。
【０００９】
ステッピングモータ２には送りネジ２−１が取り付けられている。送りネジ２−１の先端はメインフレーム１に切り起こしにより形成された支持部１−２により回転可能に支持されている。この送りネジ２−１には、磁気ヘッド（後述する）を搭載したキャリッジアセンブリ４の一部が係合している。その結果、送りネジ２−１の回転運動によってキャリッジアセンブリ４がフレキシブルディスク８０の所定の半径方向Ｂに沿って移動する。メインフレーム１にはまた、切り起こしにより形成された２つの支持部１−３（図１では１つのみ図示する）によりガイドバー５が送りネジ２−１と平行に延在するように固定されている。
【００１０】
図１、図２に加えて図３をも参照して、キャリッジアセンブリ４と送りネジ２−１及びガイドバー５との関係について説明する。
【００１１】
キャリッジアセンブリ４は、アッパーキャリッジ４１と、ロアーキャリッジ４２とを備える。アッパーキャリッジ４１、ロアーキャリッジ４２の一方の先端部分にはそれぞれ、アッパー磁気ヘッド３ａ、ロアー磁気ヘッド３ｂが取り付けられている。アッパーキャリッジ４１は図中、上方に開くことができる。フレキシブルディスク８０は、アッパーキャリッジ４１が開いている状態の時に、アッパーキャリッジ４１とロアーキャリッジ４２との間に挿入される。挿入後、各磁気ヘッド３ａ及び３ｂは、フレキシブルディスク８０の磁気記録媒体に近接するように、閉じた状態になる。
【００１２】
アッパーキャリッジ４１は板状のアームによって構成されている。他方、ロアーキャリッジ４２は、ロアー磁気ヘッド３ｂを支持する平面板４２−１と、ロアー磁気ヘッド３ｂと反対側の端部に設けられた突出部４２−２とを備える。この突出部４２−２は、アッパーキャリッジ４１に金属製の連結板４１−１を介して連結された突出部４１−２と組み合わされている。突出部４１−２は、ロアーキャリッジ４２と共に固定される。アッパーキャリッジ４１は、図３の右方向に突出したバネ取付部４１−３を備えている。バネ取付部４１−３からは、棒状のバネ支持部４１−４が図の前方に突き出している。バネ支持部４１−４にはアッパーキャリッジ４１を図中下方に付勢するためのバネ４１−５が取り付けられている。
【００１３】
連結板４１−１は、２本のネジで突出部４１−２の上面に取り付けられた押さえ板４１−６で固定されている。４１−７は、押さえ板４１−６を位置決めするためのピンである。
【００１４】
アッパーキャリッジ４１は、フレキシブルディスク８０の挿入前は後述するディスクホルダにより上方に開くようにされている。フレキシブルディスク８０が挿入されると、ディスクホルダは下動し、その結果、アッパーキャリッジ４１はバネ４１−５により下方に閉じてアッパー磁気ヘッド３ａがフレキシブルディスク８０の磁気記録媒体に近接する。フレキシブルディスク８０がイジェクトされると、アッパーキャリッジ４１は上動するディスクホルダにより上方に開かれた状態に維持される。
【００１５】
アッパーキャリッジ４１の突出部４１−２とロアーキャリッジ４２の突出部４２−２との間には空間ができるようにされており、この空間に送りネジ２−１が挿通されている。しかも、この空間には、送りネジ２−１の谷の部分に係合された金属部材（図示せず）が設けられている。このように、キャリッジアセンブリ４は、送りネジ２−１の回転によってその軸方向に移動する。
【００１６】
また、ロアーキャリッジ４２の中間部には、送りネジ２−１と平行に肉厚部４２−３が設けられている。この肉厚部４２−３に設けられた貫通穴にガイドバー５が摺動自在に挿通されている。これによって、ガイドバー５はキャリッジアセンブリ４の移動を案内する。尚、肉厚部４２−３の突出部分がメインフレーム１に接触してキャリッジアセンブリ４の移動を妨げないように、肉厚部４２−３の移動範囲に対応するメインフレーム１には打ち抜き穴１−５（図１）が形成されている。これはまた、肉厚部４２−３の突出部分によってフレキシブルディスクドライブの上下方向（厚さ方向）の寸法が大きくなることを防いでいる。
【００１７】
尚、図１に示されるように、ディスクテーブルアセンブリ１１の中心は、フレキシブルディスクドライブの奥行方向に関する中心線から図中右方向にずらしている。このようにして、図２に示すように、メインフレーム１の左側の側縁とフレキシブルディスク８０の左側の側縁との間にできる僅かなスペースを利用して送りネジ２−１を配置している。
【００１８】
次に、図４乃至図６を参照して、従来の薄型フレキシブルディスクドライブに用いられる、イジェクトプレート２０、ディスクホルダ３０、およびイジェクトベース（サブフレーム）５０について説明する。
【００１９】
最初に図４を参照して、イジェクトプレート２０について説明する。図４において、（Ａ）はイジェクトプレート２０の平面図、（Ｂ）はイジェクトプレート２０の左側面図、（Ｃ）はイジェクトプレート２０の右側面図である。尚、イジェクトプレートはスライドカムとも呼ばれる。
【００２０】
イジェクトプレート２０は、メインフレーム１の上方であって、後述するイジェクトベース５０の内側に組み付けられる。イジェクトプレート２０は、その両側にそれぞれ下方に延びる側板２１を有する。この側板２１には、後述するディスクホルダ３０の下動を案内するための２つの下動案内溝２１−１と、ディスクホルダ３０の上動を案内するための１つの上動案内溝２１−２とが設けられている。
【００２１】
次に図５を参照して、ディスクホルダ３０について説明する。図５において、（Ａ）はディスクホルダ３０の平面図、（Ｂ）はディスクホルダ３０の左側面図、（Ｃ）はディスクホルダ３０の右側面図である。
【００２２】
ディスクホルダ３０は、メインフレーム１の上方であって、イジェクトプレート２０の内側に組み付けされる。ディスクホルダ３０は、その両側にそれぞれ下方に延びる側板３１を有すると共に、この側板３１の先端（図示せず）が直角に内方へ折曲加工されている。両側の側板３１にはそれぞれ、２つの下動案内溝２１−１と対応し得るように２本の下動用ピン３１−１が設けられていると共に、上動案内溝２１−２と対応し得るように１本の上動用ピン３１−２が設けられている。
【００２３】
図６を参照して、イジェクトベース５０について説明する。図６において、（Ａ）はイジェクトベース５０の平面図、（Ｂ）はイジェクトベース５０の左側面図、（Ｃ）はイジェクトベース５０の右側面図である。
【００２４】
イジェクトベース５０は、メインフレーム１の両側の側板（図示せず）の上端に取り付けられる。この取付けは、メインフレーム１の側板の上端に折曲加工等によりねじ止め部を形成することにより、このねじ止め部にイジェクトベース５０をねじ止めして行う。
【００２５】
イジェクトベース５０の両側にはそれぞれ、下方に延びるように直角の折曲加工により形成されたピン規制片５１が設けられている。このピン規制片５１には、下方に向けて直線的なピン規制溝５１−１が設けられている。
【００２６】
図７乃至図９を参照して、上述したメインフレーム１とイジェクトベース５０とイジェクトプレート２０とディスクホルダ３０との位置関係について説明する。図７はディスクホルダ３０が下動したときのこれらの位置関係を部分的に側方から見た左側面図である。図８は図７の状態からディスクホルダ３０が上動する時の中間位置での位置関係を部分的に側方から見た左側面図である。図９は図８の状態からディスクホルダ３０が上動位置にある時の位置関係を部分的に側方から見た左側面図である。
【００２７】
図７に示されるディスクホルダ３０の下動位置は、メインフレーム１の上面に設けられた支持部材（図示せず）で規制される。一方、ディスクホルダ３０の上動位置は図９に示す通りである。すなわち、上動した時のディスクホルダ３０のピン３１−１、３１−２をそれぞれイジェクトプレート２０の側板に設けた支持片２１−３，２１−４で支持することにより規制される。これらの支持片２１−３、２１−４は、下動案内溝２１−１、上動案内溝２１−２の形成加工時に合わせて形成される。図８はディスクホルダ３０が下動と上動との中間状態を示している。
【００２８】
ここで、図７に示すように、下動案内溝２１−１は、フレキシブルディスク８０を矢印Ａ方向に挿入した時の矢印Ｃ方向への摺動に伴って下動用ピン３１−１を押し下げるように作用する下向きの傾斜辺縁２１−１ａを有する。一方、上動案内溝２１−２は、フレキシブルディスク８０を矢印Ｃ方向に抜き取る時の矢印Ａ方向への摺動に伴って上動用ピン３１−２を押し上げるように作用する上向きの傾斜辺縁２１−２ａを有する。
【００２９】
図７乃至図９から明らかなように、ディスクホルダ３０の下動に際しては、下動用ピン３１−１が傾斜辺縁２１−１ａに係合していれば良い。一方、ディスクホルダ３０の上動に際しては、上動用ピン３１−２が傾斜辺縁２１−２ａに係合していれば良い。このことから、下動案内溝２１−１、上動案内溝２１−２の溝幅は、下動用ピン３１−１、上動用ピン３１−２の径より大きくなっていれば良い。
【００３０】
図１０に、イジェクトベース５０とイジェクトプレート２０とディスクホルダ３０とを組み付けた組付け体を示す。イジェクトベース５０とイジェクトプレート２０との間には、一対のイジェクトバネ６１が架設されている。このようにイジェクトバネ６１をイジェクトベース５０とイジェクトプレート２０との間に架設する関係上、イジェクトベース５０には、それらイジェクトバネ６１を収容する程度の寸法で前後方向に長い一対の長孔５０ａが空けられている。
【００３１】
更に、イジェクトベース５０に対してイジェクトプレート２０を摺動可能に保持するために、イジェクトベース５０には、両側の側板５１近傍に、切り起こしにより形成された４つのスライドガイド５２が形成されている。したがって、これら４つのスライドガイド５２を設けるために、イジェクトベース５０には４つの開孔５０ｂが空けられている。尚、イジェクトプレート２０には、上記４つのスライドガイド５２に対応した位置に、４つのＬ字形の開口２０ｂが形成される。
【００３２】
とにかく、従来の薄型フレキシブルディスクドライブでは、イジェクトプレート２０をイジェクトベース５０に対して摺動させるスライド機構は、イジェクトベース５０に形成された４つのスライドガイド５２と、イジェクトプレート２０に形成された４つのＬ字形の開口２０ｂとで構成されており、イジェクトベース５０およびイジェクトプレート２０の主面に設けられている。
【００３３】
尚、ディスクホルダ３０には、イジェクトシャッタアーム６２が回動自在に取り付けられている。また、イジェクトベース５０には、イジェクトアーム６３が回動自在に取り付けられている。
【００３４】
図１１は、図１０に示した組付け体を図１に示したメインフレーム１に搭載した状態を示す。アッパーキャリッジ４１がディスクホルダ３０の上に搭載される。
【００３５】
上述したように、イジェクトベース５０には、一対の長孔５０ａと４つの開孔５０ｂが形成される。そのため、従来の薄型フレキシブルディスクドライブでは、図１２に示されるような略矩形形状の上カバー７０によって、イジェクトベース５０全体を覆っている。
【００３６】
【特許文献１】特開平８−２０３２２１号公報
【特許文献２】特許第３４０５３７４号公報
【発明の開示】
【発明が解決しようとする課題】
【００３７】
上述したように、従来の薄型フレキシブルディスクドライブでは、イジェクトプレート２０を前後方向に摺動させるために、イジェクト機構専用のイジェクトベース５０が必要であり、そのイジェクトベース５０には前述したように一対の長孔５０ａと４つの開孔５０ｂとが形成されている。その為、イジェクトベース５０全体を覆う程度の大きさの上カバー７０を設ける必要がある。
【００３８】
それ故に、本発明の技術的課題は、イジェクト機構専用のイジェクトベースを削除することすることができる、薄型フレキシブルディスクドライブを提供することにある。
【課題を解決するための手段】
【００３９】
本発明によれば、メインフレーム（１）と、該メインフレームの主面上で、磁気ヘッド（３ａ，３ｂ）をフレキシブルディスクの半径方向に駆動するキャリッジアセンブリ（４）と、該メインフレームの主面上に平行にフレキシブルディスクの出し入れ方向にのみ摺動可能に取り付けられたイジェクトプレート（２０Ａ）と、該イジェクトプレートの両側の側板（２１）に設けられた案内溝（２１−３）に挿通されるピン（３１−３）を持ち、前記イジェクトプレートの摺動に応じて上下方向にのみ摺動するディスクホルダ（３０Ａ）と、前記メインフレームの両側の側板の上端に取り付けられ、前記イジェクトプレートを摺動可能に保持するイジェクトベース（５０Ａ）とを有するフレキシブルディスクドライブにおいて、前記ディスクホルダと前記イジェクトプレートとの間に架設されたイジェクトバネ（６１）と、前記イジェクトプレートおよび前記イジェクトベースの両側の側板（２１，５１Ａ）に設けられて、前記イジェクトプレートを前記イジェクトベースに対して摺動させるスライド機構（２１−４，５１−２）とを備え、前記イジェクトベース（５０Ａ）が、前記キャリッジアセンブリの移動範囲を除いて、前記イジェクトプレートを覆う上カバーとしても使用されることを特徴とするフレキシブルディスクドライブが得られる。
【００４０】
上記フレキシブルディスクドライブは、前記イジェクトベースに組み付けられて、前記キャリッジアセンブリの移動範囲のみを覆う別カバー（７０Ａ）を更に有して良い。また、前記イジェクトベース（５０Ａ）は、前記別カバーを受ける受け部（５３）を持つことが好ましい。更に、前記別カバーは、前記イジェクトベースの裏面と係合する少なくとも１つの係合突起（７１）を持つことが好ましい。また、上記スライド機構は、前記イジェクトベースの両側の側板（５１Ａ）に形成されて、前記フレキシブルディスクの出し入れ方向に延在する案内孔（５１−２）と、前記イジェクトプレートの両側の側板（２１）に設けられた、前記案内孔に挿通するピン（２１−４）とを有するものであって良い。
【００４１】
尚、上記括弧内の符号は、本発明の理解を容易にするために付したものであり、一例に過ぎず、これらに限定されるものではない。
【発明の効果】
【００４２】
本発明では、スライド機構がイジェクトプレートおよびイジェクトベースの両側の側板に設けられ、イジェクトバネがディスクホルダとイジェクトプレートとの間に架設されているので、イジェクトベースは、キャリッジアセンブリの移動範囲を除いて、イジェクトプレートを覆う上カバーとしても用いることができる。したがって、イジェクトベースに組み付けられる別カバーは、キャリッジアセンブリの移動範囲のみを覆うものでよい。このように、イジェクトベースを上カバーとしても兼用させているので、別カバーは従来の上カバーよりも大幅に寸法を縮小させることができ、材料費を削減することができる。
【００４３】
また、イジェクトベースに別カバーを受ける受け部を設けることにより、別カバーをイジェクトベースに容易に組み付けることが可能となる。更に、別カバーに、イジェクトベースの裏面と係合する係合突起を設けることにより、別カバーをイジェクトベースにより容易に組み付けることが可能となる。
【発明を実施するための最良の形態】
【００４４】
以下、本発明の実施の形態について図面を参照して説明する。図１３は本発明の一実施の形態による薄型フレキシブルディスクドライブのメインフレーム１を示す。図示のメインフレーム１は、図１に示した従来の薄型フレキシブルディスクドライブのメインフレーム１と実質的に同一である。
【００４５】
メインフレーム１は幅寸法、奥行寸法共に、フレキシブルディスク（図示せず）の幅寸法、奥行寸法に比べてやや大きめ（但し、＋１０ｍｍ以内）にされる。フレキシブルディスクは、矢印Ａで示す方向からフレキシブルディスクドライブ本体に挿入される。ステッピングモータ２は、メインフレーム１の両側の側壁のうち左側の側壁に隣接した位置に、後部壁１−１の一部を利用して固定されている。
【００４６】
ステッピングモータ２には送りネジ２−１が取り付けられている。送りネジ２−１の先端はメインフレーム１に切り起こしにより形成された支持部１−２により回転可能に支持されている。この送りネジ２−１には、磁気ヘッド（図示せず）を搭載したキャリッジアセンブリ４の一部が係合している。その結果、送りネジ２−１の回転運動によってキャリッジアセンブリ４がフレキシブルディスク８０の所定の半径方向Ｂに沿って移動する。メインフレーム１にはまた、切り起こしにより形成された２つの支持部１−３（図１３では１つのみ図示する）によりガイドバー５が送りネジ２−１と平行に延在するように固定されている。
【００４７】
次に、図１４乃至図１６を参照して、本実施の形態に係る薄型フレキシブルディスクドライブに用いられる、イジェクトプレート（スライドカム）２０Ａ、ディスクホルダ３０Ａ、およびイジェクトベース（サブフレーム）５０Ａについて説明する。
【００４８】
最初に図１４を参照して、イジェクトプレート２０Ａについて説明する。図１４は、イジェクトプレート２０Ａを裏面側から見た図であって、（Ａ）はイジェクトプレート２０Ａの平面図、（Ｂ）はイジェクトプレート２０Ａの左側面図、（Ｃ）はイジェクトプレート２０Ａの右側面図である。
【００４９】
イジェクトプレート２０Ａは、メインフレーム１の上方であって、後述するイジェクトベース５０Ａの内側に組み付けられる。イジェクトプレート２０Ａは、その両側にそれぞれ下方に延びる側板２１を有する。この側板２１には、後述するディスクホルダ３０Ａを案内するための２つの案内溝２１−３と、後述するイジェクトベース５０Ａの案内孔に挿通する２つのピン２１−４とが設けられている。
【００５０】
次に図１５を参照して、ディスクホルダ３０Ａについて説明する。図１５において、（Ａ）はディスクホルダ３０Ａの平面図、（Ｂ）はディスクホルダ３０Ａの左側面図、（Ｃ）はディスクホルダ３０Ａの右側面図、（Ｄ）はディスクホルダ３０Ａの底面図である。
【００５１】
ディスクホルダ３０Ａは、メインフレーム１の上方であって、イジェクトプレート２０Ａの内側に組み付けされる。ディスクホルダ３０Ａは、その両側にそれぞれ下方に延びる側板３１を有すると共に、この側板３１の先端（図示せず）が直角に内方へ折曲加工されている。両側の側板３１にはそれぞれ、２つの案内溝２１−３と対応し得るように２本のピン３１−３が設けられていると共に、後述するイジェクトベース５０Ａのピン規制溝に挿通する１本のピン３１−４が設けられている。
【００５２】
図１６を参照して、イジェクトベース５０Ａについて説明する。図１６は、イジェクトベース５０Ａを裏面側からみた図であって、（Ａ）はイジェクトベース５０Ａの平面図、（Ｂ）はイジェクトベース５０Ａの左側面図、（Ｃ）はイジェクトベース５０Ａの右側面図である。
【００５３】
イジェクトベース５０Ａは、メインフレーム１の両側の側板（図示せず）の上端に取り付けられる。この取付けは、メインフレーム１の側板の上端に折曲加工等によりねじ止め部を形成することにより、このねじ止め部にイジェクトベース５０Ａをねじ止めして行う。
【００５４】
イジェクトベース５０Ａは、その両側にそれぞれ下方に延びる側板５１Ａを有する。両側の側板５１Ａにはそれぞれ、下方に向けて直線的なピン規制溝５１−１と、イジェクトプレート２０Ａの２つのピン２１−４を案内するための案内孔５１−２とが設けられている。これらの案内孔５１−２は、フレキシブルディスクの出し入れ方向に延在している。また、一方の側板５１Ａには、ディスクホルダ３０Ａの一方の側板３１に形成された２本のピン３１−３の上下動を許容する２つの凹部５１−３が設けられると共に、他方の側板５１Ａには、ディスクホルダ３０Ａの他方の側板３１に形成された２本のピン３１−３の上下動を許容する開孔５１−４が形成されている。
【００５５】
図１７は、イジェクトベース５０Ａとイジェクトプレート２０Ａとディスクホルダ３０Ａとを組み付けた組付け体を示す図である。図１７において、（Ａ）は組付け体の透視平面図、（Ｂ）は組付け体の透視左側面図、（Ｃ）は組付け体の透視右側面図、（Ｄ）は組付け体の透視正面図である。
【００５６】
イジェクトプレート２０Ａのピン２１−４がイジェクトベース５０Ａの案内孔５１−２を挿通して、ピン２１−４が案内孔５１−２に沿って案内されることが分かる。また、イジェクトベース５０Ａのピン規制溝５１−１に、ディスクホルダ３０Ａのピン３１−４が挿通されており、これによりディスクホルダ３０Ａは、イジェクトプレート２０Ａの摺動に応じて上下方向にのみ摺動する。
【００５７】
従って、イジェクトベース５０Ａの両側の側板５１Ａに形成された案内孔５１−２と、イジェクトプレート２０Ａの両側の側板２１に設けられたピン２１−４との組合せによって、イジェクトプレート２０Ａをイジェクトベース５０Ａに対して摺動させるスライド機構が構成されている。
【００５８】
図１８および図１９は、それぞれ、上記組付け体の平面図および底面図である。図１９から明らかように、ディスクホルダ３０Ａとイジェクトプレート２０Ａとの間にイジェクトバネ６１が架設されている。ディスクシャッタアーム６３Ａがディスクホルダ３０Ａに回動自在に取り付けられている。このディスクシャッタアーム６３Ａは、シャッタアームバネ６３１によって反時計回りに付勢されている。シャッタアームバネ６３１は、ディスクシャッタアーム６３Ａとディスクホルダ３０Ａとの間に架設されている。尚、図示のディスクシャッタアーム６３Ａは、イジェクトレバーとしても動作するだけでなく、ヘッド保護構造としても動作する。
【００５９】
上述したように、本実施の形態に係る薄型フレキシブルディスクドライブにおいては、スライド機構がイジェクトプレート２０Ａおよびイジェクトベース５０Ａの両側の側板２１および５１Ａに設けられ、イジェクトバネ６１がディスクホルダ３０Ａとイジェクトプレート５０Ａとの間に架設されているので、図２０に示されるように、イジェクトベース５０Ａは、キャリッジアセンブリ４の移動範囲を除いて、イジェクトプレート２０Ａを覆う上カバーとしても使用されることが分かる。
【００６０】
本実施の形態に係る薄型フレキシブルディスクドライブは、図２１に示されるような、イジェクトベース５０Ａに組み付けられて、キャリッジアセンブリ４の移動範囲のみを覆う別カバー７０Ａを更に有する。この別カバー７０Ａは、キャリッジアセンブリ４の移動範囲のみを覆えばいいので、図１２に示される従来の上カバー７０と比較して、その大きさを１／４に縮小することができる。その結果、材料費を削減することができる。
【００６１】
図２２に、イジェクトベース５０Ａ（組付け体）に別カバー７０Ａを組付けた状態を示す。
【００６２】
図１８に示されように、イジェクトベース５０Ａは、別カバー７０Ａを受けるための受け部５３を持つ。一方、図２１に示されるように、別カバー７０Ａは、イジェクトベース５０Ａの裏面と係合する３つの係合突起７１を持つ。図示の例では、別カバー７０Ａは３つの係合突起７１を持っているが、少なくとも１つの係合突起を持っていれば良い。
【００６３】
このような構造をしているので、別カバー７０Ａをイジェクトベース５０Ａに対して容易に組付けることができ、組付後の上カバーの主面を同一面にすることが可能となる。
【００６４】
本発明は上述した実施の形態に限定されず、本発明の趣旨を逸脱しない範囲内で種々の変更・変形が可能なのは勿論である。例えば、上述した実施の形態では、スライド機構として、イジェクトベースの両側の側板に形成した案内孔と、イジェクトプレートの両側の側板に設けたピンとの組合せを設けているが、これに限定されない。例えば、上記実施の形態とは逆に、イジェクトプレートの両側の側板に形成した案内孔と、イジェクトベースの両側の側板に設けたピンとの組合せによって、スライド機構を構成しても良い。すなわち、スライド機構は、イジェクトプレートおよびイジェクトベースの両側の側板に設けたものであれば良い。また、上述した実施の形態では、ステッピングモータの送りネジをメインフレームの左右の側縁の一方に延在させ、キャリッジアセンブリを送りネジに対して直角方向に延在させて奥行方向の寸法縮小化を図った薄型フレキシブルディスクドライブに適用した場合について述べているが、キャリッジアセンブリをステッピングモータの送りネジに対して平行に延在させた薄型フレキシブルディスクドライブにも同様に適用可能なのはいうまでも無い。
【図面の簡単な説明】
【００６５】
【図１】従来の薄型フレキシブルディスクドライブの要部を示す平面図である。
【図２】図１に示した薄型フレキシブルディスクドライブを、フレキシブルディスクと共に示す平面図である。
【図３】図１に示した薄型フレキシブルディスクドライブに用いられるキャリッジアセンブリを示す斜視図である。
【図４】図１に示した薄型フレキシブルディスクドライブに用いられるイジェクトプレートを示す図で、（Ａ）は平面図、（Ｂ）は左側面図、（Ｃ）は右側面図である。
【図５】図１に示した薄型フレキシブルディスクドライブに用いられるディスクホルダを示す図で、（Ａ）は平面図、（Ｂ）は左側面図、（Ｃ）は右側面図である。
【図６】図１に示した薄型フレキシブルディスクドライブに用いられるイジェクトベースを示す図で、（Ａ）は平面図、（Ｂ）は左側面図、（Ｃ）は右側面図である。
【図７】図１に示した薄型フレキシブルディスクドライブの、メインフレーム、イジェクトベース、イジェクトプレート、及びディスクホルダの位置関係を部分的に側方から見た図である。
【図８】図７の状態からディスクホルダが上動する時の中間位置での位置関係を部分的に側方から見た図である。
【図９】図８の状態からディスクホルダが上動位置にある時の位置県警を部分的に側方から見た図である。
【図１０】図１に示した薄型フレキシブルディスクドライブの、イジェクトベースとイジェクトプレートとディスクホルダとを組み付けた組付け体を示す平面図である。
【図１１】図１に示した薄型フレキシブルディスクドライブを、上カバーを外して示した平面図である。
【図１２】図１１に示した薄型フレキシブルディスクドライブに用いられる上カバーを示す平面図である。
【図１３】本発明の一実施の形態に係る薄型フレキシブルディスクドライブの要部を示す平面図である。
【図１４】図１３に示した薄型フレキシブルディスクドライブに用いられるイジェクトプレートを裏面側から見た図で、（Ａ）は平面図、（Ｂ）は左側面図、（Ｃ）は右側面図である。
【図１５】図１３に示した薄型フレキシブルディスクドライブに用いられるディスクホルダを示す図で、（Ａ）は平面図、（Ｂ）は左側面図、（Ｃ）は右側面図、（Ｄ）は底面図である。
【図１６】図１３に示した薄型フレキシブルディスクドライブに用いられるイジェクトベースを裏面側から見た図で、（Ａ）は平面図、（Ｂ）は左側面図、（Ｃ）は右側面図である。
【図１７】図１６に示すイジェクトベースと図１４に示すイジェクトプレートと図１５に示すイジェクトホルダとを組み付けた組付け体を示す図で、（Ａ）は透視平面図、（Ｂ）は透視左側面図、（Ｃ）は透視右側面図、（Ｄ）は透視正面図である。
【図１８】図１７に示した組付け体の平面図である。
【図１９】図１７に示した組付け体の底面図である。
【図２０】図１３に示した薄型フレキシブルディスクドライブを、別カバーを外して示した平面図である。
【図２１】図２０に示した薄型フレキシブルディスクドライブに用いられる別カバーを示す平面図である。
【図２２】図１７に示す組付け体に図２１に示す別カバーを組み付けた状態を示す平面図である。
【符号の説明】
【００６６】
１    メインフレーム
３ａ，３ｂ    磁気ヘッド
４    キャリッジアセンブリ
２０Ａ    イジェクトプレート
２１    側板
２１−３    案内溝
２１−４    ピン
３０Ａ    ディスクホルダ
３１    側板
３１−３    ピン
５０Ａ    イジェクトベース（上カバー）
５１Ａ    側板
５１−２    案内孔
５３    受け部
６１    イジェクトバネ
７０Ａ    別カバー
７１    係合突起
【図１】
2006040439.tif 000003
【図２】
2006040439.tif 000004
【図３】
2006040439.tif 000005
【図４】
2006040439.tif 000006
【図５】
2006040439.tif 000007
【図６】
2006040439.tif 000008
【図７】
2006040439.tif 000009
【図８】
2006040439.tif 000010
【図９】
2006040439.tif 000011
【図１０】
2006040439.tif 000012
【図１１】
2006040439.tif 000013
【図１２】
2006040439.tif 000014
【図１３】
2006040439.tif 000015
【図１４】
2006040439.tif 000016
【図１５】
2006040439.tif 000017
【図１６】
2006040439.tif 000018
【図１７】
2006040439.tif 000019
【図１８】
2006040439.tif 000020
【図１９】
2006040439.tif 000021
【図２０】
2006040439.tif 000022
【図２１】
2006040439.tif 000023
【図２２】
2006040439.tif 000024